(57)【特許請求の範囲】
【請求項１】
３０％以上のリナロールを含むエッセンシャルオイルを０．１から０．３重量％の範囲で含む香りのない洗濯洗剤組成物であって、該エッセンシャルオイルは担体材料上に堆積されず、カプセル化されず、化合物中に組み込まれない洗濯洗剤組成物。
【発明の詳細な説明】
【技術分野】
【０００１】
関連出願のクロスリファレンス
この出願は２００８年９月８日に出願された、米国仮出願第６１／０９５，３０２の優先権を請求する。その出願全体は本明細書中に参考として援用される。
技術分野
【０００２】
本発明はリナロールを含む洗濯洗剤組成物およびその使用に関する。
【０００３】
発明の背景
伝統的な洗濯洗剤は、洗濯の間に布帛に加えられると、洗濯される織物表面から、汚れ、土、シミを物理的に除去することを補助する組成物である。洗濯洗剤組成物は液体と粉体の両方の形状であることができ、一般にクリーニング特性を改良するために、いろいろな成分が加えられているアニオン型およびノニオン型界面活性剤の混合物を含む。しばしば、洗濯洗剤組成物は、洗浄された織物に芳香を付与する、例えばリナロールをはじめとする多くの芳香剤を含んでいる。
【０００４】
芳香性化合物は、それらが急速に蒸発するのを防ぐためには安定化を必要とする非常に揮発性の物質である。洗濯洗剤組成物における芳香剤は、洗濯の過程で持続するだけではなく、乾燥工程の後に織物に残っているように持続的で一定の香り効果が作用するように制御された態様で気化するべきである。
【０００５】
洗剤のために芳香剤を配合する化学および技術はよく開発されている。様々な石油系添加剤が、芳香剤の蒸発速度を遅らせるために芳香性化合物に加えられる必要がある。例えば、制御された放出を達成するために、芳香剤は担体材料上に堆積されるか、化合物中にカプセル化されるか、または組み込むことができる。石油系添加剤を含むようには変成されていない芳香剤は、洗浄プロセスの後に織物の上に芳香剤を残すことができない。なぜなら芳香剤は洗浄サイクルの間に蒸発してしまうからである。
【０００６】
一般に、芳香剤は洗浄プロセスに貢献する活性的な薬剤であるとは考えられていないので、洗濯洗剤組成物は単に洗浄された織物に芳香を付与するのに十分な少量の加工された芳香剤を含んでいるだけである。
【０００７】
最近、天然の環境に優しい洗濯洗剤組成物を生産することに主要な焦点が当てられている。多くの環境団体が、芳香剤の蒸発を防ぐのに必要である石油系添加剤が人の皮膚極めて接近した場合には不健康であると考えられていて、生物分解性物質でないので、芳香剤が洗剤への不要で有害な成分であると考えられている。従って、また織物を洗濯するだけではなく、環境に優しい洗濯洗剤組成物の開発への継続的な関心がある。洗剤の品質／特性を改良する、非芳香の、天然製品を使用する洗濯洗剤組成物を開発することは、特に望ましい。
【０００８】
発明の要約
本明細書に開示された内容は、リナロールを含む洗濯洗剤組成物とその用途に関する。
【０００９】
上に要約されたように、本発明の洗濯洗剤組成物は、布帛をコンディショニングし、洗剤残留物を取り除くことを助けるのに有効な量のリナロールを含んでいる。本発明の一態様では、布帛から洗剤残留物を減少させる布帛コンディショニング剤として機能するリナロールを洗濯洗剤に組み入れる。ある態様では、組成物に有効な量の天然リナロールが提供され、他の態様では合成のリナロールを含む。
【００１０】
一般に、洗濯洗剤には、新鮮であるかまたは清潔なにおいを織物に提供するためにしばしば芳香剤を加える。これらの洗剤では、芳香剤は蒸発速度を制御し、快いにおいが洗浄の後に布帛の上に残ることができるように変更された。例えば、しばしば芳香剤を保護し、制御された方法で芳香剤を放出するために、カプセル化して提供される。これは本発明で提供されるリナロールと非常に異なっている。
【００１１】
本発明の組成物で使用されるリナロールは芳香を持たず、また変成されず、また蒸発速度が制御された配合物中に提供されない。本発明の組成物は洗浄される布帛に吸着するリナロールを配合物中に含み、布帛に加えられた芳香剤として機能しない。本明細書に記載された組成物および方法による吸着されたリナロールは、布帛をより柔らかくコンディショニングし、布帛に残る洗剤残留物の量を減少させることを助ける。
【００１２】
ある態様では、有効な量のリナロールを含んでいる香りのない洗濯洗剤組成物が提供され、洗浄プログラムの間、布帛をコンディショニングするのにリナロールが有効に作用する。有効な量のリナロールは０．００４から０．０１２％の範囲である。他の態様では、有効な量のリナロールは０．０１２％である。ある態様では、リナロールは天然のリナロールであることができ、他の態様ではリナロールは合成のリナロールである。
【００１３】
ある態様では、３０％以上のリナロールを含むエッセンシャルオイルの有効な量を含む香りのない洗濯洗剤組成物が提供され、該エッセンシャルオイルは芳香を提供するようには配合されず、該エッセンシャルオイル中のリナロールの量は、洗浄プログラムの間、布帛をコンディショニングするのに有効な量である。リナロールを含むエッセンシャルオイルの有効な量は０．１から０．３％の範囲である。他の態様では、リナロールを含むエッセンシャルオイルの有効な量は０．２％である。
【００１４】
他の態様では、洗濯洗剤中のリナロールの有効濃度は０．００８から０．０１５グラムの範囲である。ある例では、有効濃度は、０．００８ｇ、０．００９ｇ、０．０ｌｇ、０．０１１ｇ、０．０１２ｇ、０．０１３ｇ、０．０１４ｇ、または０．０１５ｇであることができる。他の態様では、リナロールの有効濃度は０．０１２ｇであることができる。
【００１５】
洗濯洗剤組成物は０．０２ｇから０．０５ｇの範囲のエッセンシャルオイルの有効濃度を有することができる。他の態様では、エッセンシャルオイルは０．０３ｇの有効濃度を有することができる。もう一つの態様では、エッセンシャルオイルはラベンダーオイルであることができる。
【００１６】
いくつかの態様では、洗浄の間に洗濯洗剤は布帛をコンディショニングする。もう一つの態様では、洗浄された布帛は、リナロールを含まない洗剤または３０％未満のリナロールを含むエッセンシャルオイルを含む洗剤で洗浄された布帛よりも、柔らかい。
【００１７】
もう一つの態様では、リナロールを含まない洗剤または３０％未満のリナロールを含むエッセンシャルオイルを含む洗剤に比較して、本発明の洗剤組成物は洗浄した布帛の石鹸残留物を減少させる。
【００１８】
もう一つの態様では、リナロールを含まない洗剤または３０％未満のリナロールを含むエッセンシャルオイルを含む洗剤と比較して、本発明の洗剤組成物は、洗浄された布帛の保色性を改良する。
【００１９】
もう一つの態様では、リナロールを含まない洗剤または３０％未満のリナロールを含むエッセンシャルオイルを含む洗剤と比較して、本発明の洗剤組成物は、洗浄された布帛の静電気を減少させる。
【００２０】
ある態様では、洗濯洗剤組成物は粉末洗剤である。他の態様では、洗濯洗剤組成物は液体洗剤である。
【００２１】
本発明の態様は、洗浄された布帛の石鹸残留物の減少方法に関する。本発明の方法は、３０％以上のリナロールを含むエッセンシャルオイルの有効な量を含む香りのない洗剤組成物を布帛に加えることを含んでいる。本発明の方法は、洗浄された布帛が、リナロールを含まない洗剤または３０％未満のリナロールを含むエッセンシャルオイルを含む洗剤の場合と比較して、より少ない洗剤残留物を有し、コンディショニングされている、布帛の洗浄方法に関する。
【００２２】
本発明の態様は．００４％から．０１２％の範囲の有効な量のリナロールを含む香りのない洗濯洗剤組成物であって、該リナロールが洗浄プログラムの間、布帛をコンディショニングするの有効である洗濯洗剤組成物を含む。ある態様では、リナロールは合成のリナロールである。
【００２３】
本発明の洗濯洗剤組成物は、担体材料上に保持され、化合物でカプセル化され、または化合物中に埋め込まれた、洗浄および乾燥の間蒸発速度を制御するためのリナロールまたはエッセンシャルオイルを含まない。
【００２４】
本発明の態様は、洗浄サイクルの間、布帛に芳香を付与しないが、その代わり布帛をコンディショニングして柔らかくする目的のために、洗濯洗剤組成物にリナロールを含むエッセンシャルオイルを提供することを含んでいる。
【００２５】
もう一つの態様では、洗濯洗剤組成物はさらに洗剤残留物の除去を改良する。ある例では、リナロールが洗剤残留物を取り除くのに非常に効果的であるので、追加すすぎが残留物を取り除くために必要とされない。
【００２６】
発明の詳細な説明
さらに詳細に本発明について説明する前に、本発明は説明した特定の実施例に限定されず、変更することができることが理解されるべきである。また、本明細書に使用された術語は特定の実施例について説明する目的のためのものであり、何ら制限する意図がないことが理解されるべきである。本発明の範囲は特許請求の範囲によってのみ制限される。
【００２７】
数値範囲が記載された場合、それぞれの挟まれた値、文脈上明らかに述べられている場合を除き、これらの上限と下限との間、単位の１０分の１まで、および他の記載されたまたは挟まれた値が本発明の範囲に包含される。これらのより小さい範囲内の上下限は、より小さい範囲として独立して含むことができて、また、述べられた範囲内のすべての明確に除かれた限界値を除いて本発明の範囲に含まれる。述べられた範囲が１つまたは両方の限界値を含む場合、どちらか又は両方の限界値を除く範囲もまた本発明に含まれる。
【００２８】
別途定義されない限り、本明細書に用いられる全ての技術的及び科学的用語は、本発明の属する当業者により一般に理解されるのと同じ意味を有する。本明細書に記載されるものと類似のまたはそれと等価のすべての方法及び材料を本発明を実施し又はテストするのに用いることができるが、好ましい方法及び材料が記載される
【００２９】
明細書に引用されるすべての刊行物と特許は、すべての刊行物と特許がそれぞれ個別に参照され組み込まれるかのように、参照され、組み込まれる。またこの刊行物と特許が開示する方法および／または材料も、参照され、組み込まれる。すべての刊行物の引用は本出願の出願前のものであるが、本発明が先願発明によってそのような先行する公表により権利を与えられないと理解されるべきでない。さらに、提供された公表の期日は実際の公表期日と異なっているかもしれず、独自に確認される必要があるかもしれない。
【００３０】
この開示を読めば当業者には明らかであるように、本明細書に説明され示したそれぞれの個々の実施態様はそれぞれの要素と特徴を備え、本発明の範囲または精神から逸脱せずに、これらは他のいくつかの実施態様の任意の特徴から分離し、またはこれらと組み合わせることができる。引用されたすべての方法は、引用された順番でも、また論理的に可能ないかなる他の順番でも行うことができる。
【００３１】
本明細書および特許請求の範囲において、特記のない限り、単数の表現は複数も含む。したがって、例えば、「薬剤」はひとつの薬剤を意味するだけではなく、二個以上の異なった薬剤の組み合わせも意味する。同様に、「界面活性剤」は単一の界面活性剤、および界面活性剤の組み合わせも意味する。特記の無い限り、本明細書に用いられる全ての技術的及び科学的用語は、本発明の属する当業者により一般に理解されるのと同じ意味を有する。本明細書に記載されるものと似た又はそれと等価のいずれかの方法及び材料を本発明を実施し又はテストするのに用いることができるが、好ましい方法及び材料が記載される。特別に本発明の説明に重要な術語は以下で定義される。
【００３２】
リナロール
本明細書に記載された洗濯洗剤組成物は、有効な量のリナロール（ｌｉｎａｌｏｌ）（リナロオール（ｌｏｎａｌｏｏｌ）または３，７−ジメチル−ｌ，６−オクタジエン−３−オルとしても知られている）を含んでいる。それは、以下の化学構造式を有する。
【００３３】
【化１】
0005745729.tif 000002
【００３４】
リナロールは、様々な植物のエッセンシャルオイルから蒸留される無色の液体である。該エッセンシャルオイルとしては、一例としては、たとえばローズウッド、ベルガモット、コリアンダー、ラベンダーなどのエッセンシャルオイルがあげられる。本発明の洗濯洗剤組成物で使われるエッセンシャルオイルは、少なくとも３０％のリナロールから成る。ある態様では、本発明の洗濯洗剤組成物は少なくとも３０％から６０％のリナロールから成るエッセンシャルオイルを含むことができる。例えば、本発明の洗濯洗剤組成物は少なくとも３０％、３２％、３４％、３６％、３８％、４０％、４２％、４４％、４６％、４８％、５０％、５２％、５４％、５６％、５８％または６０％のリナロールから成るエッセンシャルオイルを含むことができる。
【００３５】
エッセンシャルオイルが芳香剤として洗濯洗剤に加えられるとき、通常エッセンシャルオイルは、リナロールの割合を低下させるようにされる。これはリナロールはそれ自体では、においが本質的にはないからである。リナロールは、言い換えれば芳香を提供せず、新鮮で清潔なにおいを織物に付与することができない。このため、芳香剤として洗濯洗剤に加えられるエッセンシャルオイルは、典型的には低い重量％のリナロールを含むように配合される。例えば、芳香剤として加えられるために配合されたエッセンシャルオイルは、３０％未満のリナロールを通常含む。本発明で使用されるエッセンシャルオイルは少なくとも３０−６０％のリナロールを含んでいるので、これは本発明の洗濯洗剤配合物と識別可能である。
【００３６】
洗濯洗剤組成物では、芳香剤は蒸発、洗剤の他の成分との反応、たとえば酸化および化学分解に影響されやすい。そのため、芳香が洗浄の後に布帛の上に残るように十分に蒸発速度が制御された配合物に芳香剤が通常提供される。例えば、洗浄と乾燥工程の間、芳香剤を保護して放出するために制御された方法で、芳香剤を担体材料上に堆積させるか、化合物中にカプセル化されるか、または組み込むことができる。これらの配合物におけるそのような芳香剤は、より遅い速度で蒸発して、洗浄された織物布帛に快いにおいを付与する。
【００３７】
本発明の洗濯洗剤がリナロールを含むエッセンシャルオイルを含むとき、エッセンシャルオイルは、蒸発速度を制御するようには変成されないし配合もされない。そのため、エッセンシャルオイルは、変えられた蒸発速度を有しないし、また洗浄後に布帛に芳香を残さない。言い換えれば、洗濯洗剤組成物にリナロールを含むエッセンシャルオイルが含まれることができるが、洗浄と乾燥工程の間、芳香剤を保護して制御された方法で放出するために、芳香剤を担体材料上に堆積させるか、化合物中にカプセル化されるか、または組み込まれてはいない。すなわち、洗濯洗剤組成物におけるリナロールを含むエッセンシャルオイルは、芳香剤として機能しないで、また本質的に芳香を有していない。
【００３８】
ある態様では、洗濯洗剤組成物は洗浄の間、布帛をコンディショニングすることが予想外に見いだされたリナロール配合物の有効な量を含んでいる。言い換えれば、本発明の洗濯洗剤組成物は洗浄プロセスの間、布帛に芳香を付与しないが、代わりに柔らかくして、コンディショニングすることができるリナロール配合物の有効な量を含んでいる。ある態様では、洗濯洗剤組成物において存在するリナロールの量は、リナロール配合物を含んでいない洗濯洗剤組成物または３０％未満のリナロールを含むエッセンシャルオイルを含んでいる洗濯洗剤組成物と比較した時に、布帛をよりよくコンディショニングするのに有効な量である。他の態様では、洗濯洗剤組成物におけるリナロールの存在の量は、ＡＳＴＭ  Ｄ５２３７−９２（本明細書では、”ＡＳＴＭ”と呼ばれる）を使用したテストで、柔軟性で３．７よりも大きな点を得るのに有効な量である。他の態様では、洗濯洗剤組成物におけるリナロールの存在の量は、ＡＳＴＭを使用したテストで、柔軟性で４．０よりも大きな点を得るのに有効な量である。他の態様では、洗濯洗剤組成物におけるリナロールの存在の量は、ＡＳＴＭを使用したテストで、柔軟性で４．３よりも大きな点を得るのに有効な量である。他の態様では、洗濯洗剤組成物におけるリナロールの存在の量は、ＡＳＴＭを使用したテストで、柔軟性で５．０よりも大きな点を得るのに有効な量である。
【００３９】
クリーニングの後に、しばしば布帛の上に洗剤が残る結果、布帛がかたく荒く感じることがある。洗濯洗剤組成物がコンディショニングすることができ、洗浄の後に布帛を柔らかくすることができるので、予想外にも本発明の組成物は洗剤残留物の除去を改良することが見いだされた。そのため、洗濯洗剤組成物は芳香を付与しないが、代わりに洗浄プロセスの間、洗剤残留物を取り除くことができるリナロール配合物の有効な量を含んでいる。ある態様では、リナロール配合物を含んでいない洗濯洗剤組成物または３０％未満のリナロールを含むエッセンシャルオイルを含む洗濯洗剤組成物と比較して、洗濯洗剤組成物に存在するリナロール配合物の量は、布帛から洗剤残留物をよりよく取り除くのに有効な量である。
【００４０】
任意の異なる態様では、洗濯洗剤組成物は洗剤残留物を取り除くのに効果的で、追加のすすぎ工程が洗浄サイクルの間に実行される必要はないほどである。この異なる態様では、洗浄プロセスの間の水使用の効率を向上させ、洗浄プロセスの間、環境に排出される水分量を減少させる。
【００４１】
異なる態様では、洗濯洗剤組成物が退色から布帛の色を保護することが予想外に見いだされた。洗濯洗剤組成物は芳香を付与しないが、代わりに洗浄プロセスの間、退色から布帛の色を保護するリナロール配合物の有効な量を含むことができる。ある態様では、洗濯洗剤組成物に存在するリナロール配合物の量は、リナロール配合物を含んでいない洗濯洗剤組成物または３０％未満のリナロールを含むエッセンシャルオイルを含む洗剤組成物と比較すると、退色から布帛をよりよく保護するのに有効な量である。異なる態様では、洗濯洗剤組成物に存在するリナロールの量は、ＡＳＴＭを使用して保色性をテストした時に４．７以上の点を与えるのに有効な量である。異なる態様では、洗濯洗剤組成物に存在するリナロールの量は、ＡＳＴＭを使用して保色性をテストした時に５．０以上の点を与えるのに有効な量である。異なる態様では、洗濯洗剤組成物に存在するリナロールの量は、ＡＳＴＭを使用して保色性をテストした時に５．３以上の点を与えるのに有効な量である。
【００４２】
異なる態様では、洗濯洗剤組成物が布帛における静電気を減少させることが予想外に見いだされた。洗濯洗剤組成物は芳香を付与しないが、代わりに洗浄プロセスの間に発生される静電気の量を低減することができるリナロール配合物の有効な量を含む。ある態様では、洗濯洗剤組成物に存在するリナロール配合物の量は、リナロール配合物を含んでいない洗濯洗剤組成物または３０％未満のリナロールを含むエッセンシャルオイルを含む洗剤組成物と比較すると、発生する静電気の量を減少させることができる量である。他の態様では、洗濯洗剤組成物に存在するリナロールの量は、リナロール配合物を含んでいない洗濯洗剤組成物またはリナロールを芳香剤として含むエッセンシャルオイルを含んでいる洗濯洗剤と比べて、発生する静電気をＡＳＴＭによるテストで４２％以上減少させるのに有効である量である。
【００４３】
理論によって拘束されることは望まないが、リナロールを含んでいるエッセンシャルオイルなどの芳香剤を含んでいる洗濯洗剤組成物は、リナロールの有効な量、すなわち３０％以上のリナロールを提供しない。さらに、芳香剤は洗浄サイクルの間、それらの蒸発速度を低下させるように変成され、またそのような変成は、本発明の洗濯洗剤組成物と比べると、芳香剤が布帛のコンディショニング、石鹸残留物の減少、色の保持、および発生する静電気の量の減少に効果的でない役割を果たす。
【００４４】
配合物
一般に、有効な量は、後述される説明において、成分の範囲または量として記載されたものである。特に記載していない限り、％は重量パーセントである。
【００４５】
ある態様では、本発明の洗濯洗剤組成物に提供されるリナロールは、０．００４％から０．０１２％までの範囲である。ある態様では、洗濯洗剤組成物は少なくとも０．００４％、０．００５％、０．００６％、０．００７％、０．００８％、０．００９％、０．０１％、０．０１１％、または０．０１２％のリナロールを含んでいる。洗濯洗剤組成物はリナロール自体を含むことができる。そして、ある態様では、リナロールは合成リナロールであることができる。
【００４６】
本発明の他の態様では、洗濯洗剤組成物はリナロールのソースとしてエッセンシャルオイルを含むことができる。これらの実施態様では、エッセンシャルオイルの量は０．１％から０．３％であることができる。ある態様では、エッセンシャルオイルの有効濃度は、少なくとも０．１％、０．１５％、０．２％、０．２５％、または０．３％である。本発明の洗濯洗剤配合物は少なくとも３０−６０％のリナロールを提供するエッセンシャルオイルを含む。
【００４７】
ある例では、洗濯洗剤組成物におけるリナロールの量またはエッセンシャルオイルの量は、本明細書において有効濃度として言及される。当業者に知られているように、有効濃度は洗剤中の成分の重量パーセントを乗じた洗剤の推奨用量である。当業者に知られているように、洗剤の推奨用量は使用される洗濯機のサイズに依存する。
【００４８】
他の態様では、洗濯洗剤中のリナロールの有効濃度は０．００８から０．０１５グラムである。ある例では、有効濃度は、０．００８ｇ、０．００９ｇ、０．０１ｇ、０．０１１ｇ、０．０１２ｇ、０．０１３ｇ、０．０１４ｇ、または０．０１５ｇであることができる。異なる態様では、リナロールの有効濃度は０．０１２ｇであることができる。ある態様では、加えられたリナロールは天然のリナロールであることができ、そして、他の態様ではリナロールは合成のリナロールであることができる。
【００４９】
本発明の洗濯洗剤配合物は０．０２から０．０５グラムの範囲のエッセンシャルオイルの有効濃度を有することができる。ある例では、エッセンシャルオイルの有効濃度は、０．０２ｇ、０．０３ｇ、０．０４ｇまたは０．０５ｇであることができる。１つの態様では、洗濯洗剤のエッセンシャルオイルの有効濃度は０．０３ｇである。
【００５０】
当業者には明らかであるように、洗濯洗剤組成物は、当業者に知られているように、リナロールの多くのさまざまなソースを含むことができる。本発明のある態様では、リナロールのソースはローズウッドオイル、ベルガモットオイルまたはコリアンダオイル由来であることができる。もう一つの態様では、リナロールのソースはラベンダーオイル由来であることができる。
【００５１】
洗濯洗剤成分のさらなる説明
本発明の洗濯洗剤組成物は、リナロールを含んでいるだけではなく、洗濯洗剤製品において知られている公知の追加成分を含むことができる。ある態様では、洗濯洗剤組成物は表面活性界面活性剤、ビルダー物質、有機および／または無機のペルオキシ化合物に基づく漂白剤、漂白活性剤、ｐＨ調節剤、蛍光増白剤、グレイイング防止剤、および発泡調節剤を含むことができる。
【００５２】
本発明による製品は１つの界面活性剤、およびある例においては二種以上の界面活性剤を含むことができる。洗濯洗剤組成物に使用される界面活性剤は当技術分野で周知である。様々な界面活性剤としては、アニオン界面活性剤、ノニオン界面活性剤、カチオン界面活性剤、双性イオン界面活性剤、および両性界面活性剤を含むことができる。界面活性剤は、布帛から汚れの除去を可能にする、湿潤、乳化、分散特性を提供する有機化学薬品である。界面活性剤の例としては、脂肪アルコールエトキシレート類、ノニルフェノールエトキシレート類のような非イオン性タイプ；ナトリウムドデシルベンゼンスルホネートおよびナトリウムラウリルスルホナートのようなアニオンタイプがあげられるが、これらに限定されるものではない。
【００５３】
界面活性剤のさらなる例は、アルキルベンゼンスルホネート類、アルキルスルホネート類、アルキル−およびアルキルエーテルスルフェート類、一級アルキルスルフェート類、アルコキシル化アルコール類、脂肪酸および脂肪酸エステルのアルファ−スルホネート類、アルキルベタイン類、およびアルキルポリグリコシド類があげられ、これらは当業者には公知である。当業者には、対象の組成物において存在する界面活性剤の量は容易に明らかにできるであろう。ある態様では、界面活性剤の量は、組成物の重量に基づいて、少なくとも１５％であるが、ある例では少なくとも１５％、２０％、２５％、３０％、４０％、５０％、６０％、７０％、８０％、９０％または９９％である。「組成物の重量に基づく％」とは、溶剤などを含むすべての組成物成分の重量に対してとの意味である。
【００５４】
またある態様では、本発明の洗濯洗剤組成物はビルダーを含むことができる。ビルダーは、カルシウムのような多価カチオンの可溶化またはまたは除去により硬水を柔らかくする機能を有し、また水の硬度を上げるマグネシウム塩の量を低減し、たとえば可溶性の無機ビルダーとしては、トリポリリン酸ナトリウム、ケイ酸ナトリウム、および炭酸ナトリウムがあげられる。したがって、ビルダーは、洗浄性への多価カチオンの有害な影響に対抗するために洗濯洗剤配合物に加えられるが、またそれらは、洗剤としての界面活性剤の効率と効果を増加させて、汚れ除去へのそれらの有益な効果を補うのに使用される。汚れの分散は、浴中において界面活性剤の溶解牲を減少させるビルダーによって達成される。ビルダーは基体および汚れ粒子への界面活性剤の吸着を促進する。また、高いｐＨは汚れた基体における負電位を増加させて、クリーニングを促進するので、ビルダーはアルカリ化および緩衝のために使用される。緩衝は、汚れと基体成分がｐＨを下げるのを防止し、結果として表面電位を下げるのに必要である。洗濯洗剤組成物のｐＨは、７から１２の範囲内であり、ある例では７から９の範囲であってもよい。ある態様では、洗濯洗剤組成物のｐＨは、７、８、９、１０、１１、または１２であることができる。
【００５５】
例えば、ゼオライト、クエン酸ナトリウム、ポリアクリレート、トリポリリン酸ナトリウム、ＥＤＴＡ、ＮＴＡ、およびグルコン酸ナトリウムのような、当技術分野で知られているすべてのビルダーも、対象の組成物中に存在することができる。組成物の重量に基づいて、洗濯用液体洗剤のビルダー成分は好ましくは７％から５０％までの範囲内で存在するが、ある例では少なくとも７％、１０％、１５％、２０％、２５％、３０％、３５％、４０％、４５％、または５０％であることができる。
【００５６】
本発明の洗剤組成物は、ｐＨを上げるか、または制御するためにさらに１種以上のアルカリ性ソースを含むことができる。アルカリ性ソースは当業者に公知である。アルカリ性ソースの例は炭酸ナトリウム、ケイ酸ナトリウム、水酸化ナトリウムを含むが、これらに限定されない。残余の成分を混合することによっては自動的に得ることのできない希望のｐＨ値を確立するために、本発明による製品はシステムと適合性があり、環境面で適合性がある酸類を含むことができ、特にはクエン酸、酢酸、酒石酸、リンゴ酸、乳酸、グリコール酸、コハク酸、グルタル酸および／またはアジピン酸、並びに無機酸、特には硫酸、または塩基、特にはアンモニウムまたはアルカリ金属水酸化物を含むことができる。本発明の組成物において、好ましくは組成物の重量に基づいて、そのようなｐＨ調整剤は２０重量％以下で含まれることができ、ある例では少なくとも１％、２％、５％、７％、１０％、１５％、１７％、または２０％で存在することができる。ある態様では、洗濯洗剤組成物は、より利用可能な濃度に洗剤を希釈するために１種以上の充填剤を含むことができる。対象の組成物における使用のための充填剤は当業者に公知である。本発明の組成物において使用可能な充填剤の例としては、塩化ナトリウムまたは硫酸ナトリウムのような中性塩があげられるがこれらに限定されるものではない。
【００５７】
異なる態様では、洗濯洗剤組成物は、すすぎ特性を改良するために１種以上の汚れ分散剤を含むことができる。対象の組成物における使用のための汚れ分散剤は当業者に公知である。本発明の組成物と共に使用できる汚れ分散剤の例としては、ナトリウムカルボキシメチルセルロース、および陰イオン性ポリマー、たとえばポリアクリル酸ナトリウムなどがあげられるが、これらに限定されない。
【００５８】
本発明の洗剤組成物はさらに有機過酸素酸または有機酸の過酸素酸塩などのペルオキシ化合物を含むことができる。ある態様では、洗濯洗剤組成物はフタルイミドペルカプロン酸、過安息香酸またはジペルドデカンジオイック酸の塩、過酸化水素、並びに洗浄条件の下で過酸化水素を放出する、たとえば過ほう酸塩、ペルカルボネート、ペルシリケート、および／またはペルスルフェート、たとえば過硫酸ナトリウム（ｃａｒｏａｔｅ）などの無機塩を含むことができる。本発明による製品がペルオキシ化合物を含んでいる場合には、望ましくは、これらは１から３０重量％の範囲で存在する。しかしある例においては、少なくとも１％、２％、５％、１０％、１１％、１２％、１３％、１４％１５％、２０％、２５％、２７％または３０％であることができる。ある態様では、洗濯洗剤組成物は漂白剤安定剤、たとえば亜リン酸塩、ホウ酸塩またはメタほう酸塩、およびメタケイ酸塩、たとえば硫酸マグネシウム塩などのマグネシウム塩を含むことができる。
【００５９】
対象の洗濯洗剤組成物に使用できる漂白活性剤は、加加水分解（ｐｅｒｈｙｄｒｏｌｙｓｉｓ）条件のもとで、望ましくは１から１０の炭素原子、特には２から４個の炭素原子を有する脂肪族ペルオキシカルボン酸をもたらす化合物、および／または任意に置換された過安息香酸を含む。適当な物質は、Ｏ、および／またはＮ−アシル基を有し、上記の数の炭素原子を有するもの、および／または任意に置換されたベンゾイル基である。好ましい物質は、繰り返されたアシル化アルキレンジアミン、特にはテトラアセチルエチレンジアミン（ＴＡＥＤ）、アシル化トリアジン誘導体、特には１，５−ジアセチル−２，４−ジオキソヘキサヒドロ−ｌ，３，５−トリアジン（ＤＡＤＨＴ）、アシル化グリコールウリル、特にはテトラアセチルグリコールウリル（ＴＡＧＵ）、Ｎ−アクリイミド、特にはＮ−ノナノイルスクシンイミド（ＮＯＳＩ）、アシル化フェノールスルホネート、特にはｎ−ノナノイル、またはイソノナノイル  オキシベンゼンスルホネート（ｎ−、またはｉｓｏ−ＮＯＢＳ）、カルボン酸無水物、特には無水フタル酸、アシル化多価アルコール、特にはトリアセチン、二酢酸エチレングリコール、２，５−ジアセトキシ−２，５−ジヒドロフラン、エノールエステル、アセチル化ソルビトールおよびマンニトールである。そのような漂白活性剤は、特には上に述べられた過酸化水素を放出する漂白剤の存在下で、公知の量、好ましくは１重量％から５０重量％の範囲で存在することができる。ある例では、全体の製品に関して、組成物の少なくとも１％、１．５％、２％、２．５％、５％、１０％、１５％、２０％、２５％、３０％、３５％、４０％、４５％または５０％で存在することができるが、唯一の漂白剤として過カルボン酸が使用されているときには、望ましくは含まれない。
【００６０】
グレイイング防止剤は、紡織繊維から溶解された汚れを液体中に懸濁させる役割を有する。主に有機的な性質の水溶性コロイドはこの目的のために適当であり、たとえばデンプン、糊、ゼラチン、セルロースまたはでんぷんのカルボン酸エーテル塩もしくはスルホン酸エーテル塩、またはでんぷんもしくはセルロースの硫酸エステルの酸性塩があげられる。また、酸性基を含む水溶性ポリアミドもこのために適当である。さらにアルデヒドスターチのような、上に述べられたもの以外のでんぷんの誘導体を使用できる。カルボキシメチルセルロースなどのセルロースエーテル（Ｎａ塩）、メチルセルロース、ヒドロキシアルキルセルロースおよび混合エーテル、たとえばメチルヒドロキシエチルセルロース、メチルヒドロキシプロピルセルロース、メチルカルボキシメチルセルロース、およびそれらの混合物が好ましく使用され、たとえば０．１から５重量％の量で使用される。しかしある例では、製品に関する組成物の重量に基づいて少なくとも０．１％、０．２％、０．３％、０．５％、０．７５％、１％、１．５％、２％、２．５％、３％、４％または５％であることができる。
【００６１】
本発明による洗濯洗剤組成物は、望ましくは色物洗浄剤としての使用のために蛍光増白剤を全く含まないが、蛍光増白剤としてジアミノスチルベン・ジスルホン酸の誘導体またはそのアルカリ金属塩を含むことができる。適当な化合物としては、例えば、４，４’−ビス（２−アニリノ−４−モルホリノ−ｌ，３，５−トリアジニル−６−アミノ）スチルベン  ２，２’−ジスルホン酸、またはモルホリノグループの代わりにジエタノールアミノ基、メチルアミノ基、アニリノ基、または２−メトキシエチルアミノ基を有する、類似構造を有する化合物があげられる。置換されたジフェニルスチリルタイプの光沢剤がさらに存在することができる。たとえば、４，４’−ビス（２−スルホスチリル）−ジフェニル、４，４’−ビス（４−クロロ−３−スルホスチリル）−ジフェノール、または４−（４−クロロスチリル）−４’−（２−スルホスチリル）−ジフェニルのアルカリ金属塩が使用できる。また、上に述べられた任意の蛍光増白剤の混合物を使用できる。洗濯洗剤組成物における光沢剤の量は０．１から２重量％の範囲内であることができる。ただし、ある例では、製品に関する組成物の重量に基づいて少なくとも０．１％、０．２％、０．３％、０．５％、０．７５％、１％、１．５％、または２％であってもよい。
【００６２】
本発明の洗濯洗剤組成物はさらに発泡防止剤を含むことができる。適当な発泡防止剤は、たとえば天然または合成の起源の石鹸であり、Ｃ１８−Ｃ２４脂肪酸の高い割合を含む。適当な非界面活性剤発泡防止剤は、例えば、オルガノポリシロキサン類、それらと微粒子の、任意にシラナイズドされたシリカとの混合物、並びにパラフィン、ワックス、マイクロクリスタリンワックス、およびそれらとシラナイズドされたシリカまたはビステアリルエチレンジアミド類との混合物があげられる。異なった発泡防止剤の混合物、例えば、シリコーン系、パラフィン類またはワックス類の混合物も、本発明の洗濯洗剤組成物に使用できる。発泡防止剤、特にシリコーン系、および／またはパラフィンを含む発泡防止剤は、水に可溶性であるかまたは分散可能である粒塊キャリヤー物質に結合することができる。洗濯洗剤組成物における、発泡防止剤の量は０．１から２重量％の範囲内であることができる。ただし、ある例では、製品に対する組成物の重量に基づいて少なくとも０．１％、０．２％、０．３％、０．５％、０．７５％、１％、１．５％、または２％であってもよい。
【００６３】
洗濯洗剤組成物は、固体、液体、ゲルまたはそれの任意の組み合わせなどのすべての形態であることができる。組成物はマルチコンパートメントパウチを含むタブレットまたはパウチの形態であってもよい。組成物は自由流動性粉末、たとえば凝集物、スプレードライされた粉末、カプセル化物、押出物、針、ヌードル、フレーク、またはそれの任意の組み合わせの形態であることができる。しかしながら、組成物は望ましくは液体の形である。さらに、組成物は等方性の、または異方性の形態であってもよい。任意の変法においては、洗濯洗剤組成物、または少なくともその一部分はラメラ相であってもよい。
【００６４】
本発明による洗濯洗剤組成物の例を以下に提供する。これらの組成物は例示的な実施態様として提供され、限定的な例示として解釈されない。本発明によれば、有効な量のリナロールが以下の組成物に０．００４％から０．０１２％の範囲で加えられる。ある態様では、洗濯洗剤組成物は少なくとも０．００４％、０．００５％、０．００６％、０．００７％、０．００８％、０．００９％、０．０１％、０．０１１％、または０．０１２％のリナロールを含んでいる。洗濯洗剤組成物はリナロール自体を含むことができる。そして、ある態様ではリナロールは合成のリナロールであることができる。
【００６５】
本発明の他の態様では、洗濯洗剤組成物は３０％以上のリナロールを含むエッセンシャルオイルを含むことができる。これらの実施態様では、エッセンシャルオイルの量は０．１％から０．３％までの範囲であることができる。ある態様では、エッセンシャルオイルの有効濃度は、少なくとも０．１％、０．１５％、０．２％、０．２５％、または０．３％である。
【００６６】
当業者には明らかであるように、本発明の洗濯洗剤組成物はリナロールを含む多くの異なったエッセンシャルオイルを含むことができる。本発明のある態様では、リナロールを含むエッセンシャルオイルは、ローズウッドオイル、ベルガモットオイルまたはコリアンダオイル由来であることができる。異なる態様では、リナロールを含むエッセンシャルオイルは、ラベンダーオイルであることができる。エッセンシャルオイルは芳香を付与するように配合されず、また変成されないが、有効な量のリナロールを提供するために洗濯洗剤組成物に含まれる。
【００６７】
当業者には、配合物に含まれるリナロールの量によって、以下の量が調整されるのは、明らかであるだろう。
【００６８】
１．  粉末、非−リン酸塩洗濯洗剤
５３．９部  炭酸ナトリウム
３０部  メタけい酸ナトリウム
１５部  非イオン性  界面活性剤、Ｔｏｍａｄｏｌ  ６００（登録商標）
１．０部  カルボキシメチルセルロース
０．１部  光学染料チノパールＣＢＳ（登録商標）
０．１−３部  リナロール
【００６９】
２．粉末にされた、非−リン酸塩酸素漂白洗濯洗剤
４９部  炭酸ナトリウム
２０部  過ホウ酸ナトリウム１水塩
２０部  メタけい酸ナトリウム
１０部  非イオン性界面活性剤Ｔｏｍａｄｏｌ  ６００（登録商標）
１．０部  カルボキシメチルセルロース
０．１−３部  リナロール
【００７０】
３．  粉末にされたリン酸塩ホスフェート洗濯洗剤
３０部  トリポリリン酸ナトリウム
１９部  メタけい酸ナトリウム
３５部  炭酸ナトリウム
１５部  非イオン性界面活性剤  Ｔｏｍａｄｏｌ  ６００（登録商標）
１．０部  カルボキシメチルセルロース
０．１−３部  リナロール
【００７１】
４．  液体の中性ｐＨ洗濯洗剤
５５部  水
１５部  Ｔｏｍａｄｏｌ  ９００（登録商標）
２５部  ナトリウムキシレンスルホネート  ４０％溶液
５．０部  クエン酸ナトリウム
０．１−３部  リナロール
【００７２】
５．  液体のアルカリ性ｐＨ洗濯洗剤
４２部  水
２０部  メタけい酸ナトリウム五水和物
１０部  Ｔｏｍａｄｏｌ  ９００（登録商標）
２５部  ナトリウムキシレンスルホネート  ４０％
３部  グルコン酸ナトリウム
０．１−３部  リナロール
【００７３】
６．  ２成分  液体製品
成分は独立して洗濯溶液に投入される。
パートＡ
７０部  水
３０部  Ｔｏｍａｄｏｌ  ９００（登録商標）
パートＢ
６０部  水
３５部  Ｎ  シリケート（水ガラス）
５．０部  グルコン酸ナトリウム
０．１−３部  リナロール
【００７４】
７．  液体洗濯洗剤
７５．４部  脱イオン水
１０．０部  Ｇｌｕｃｏｐａｎ  ６２５ＵＰ（登録商標）
１０．０部  Ｔｏｍａｄｏｌ  ９００（登録商標）
３．４０部  ＢａｙＰｕｒｅ  ＣＸ１００  ｌｉｑｕｉｄ（登録商標）
１．００部  Ａｌｃｏｓｐｅｒｓｅ  ７４７（登録商標）
０．２０部  エッセンシャルオイル（３０％以上のリナロール）
【００７５】
洗濯プロセスの説明
布帛洗濯方法において上記の洗濯洗剤組成物を使うことができる。
本発明の態様は、洗濯洗剤を投与することによって布帛をコンディショニングする方法を含んでいる。ある態様では、本発明はリナロールを含み、洗濯の間に布帛をコンディショニングすることが可能であり、洗剤残留物の除去を改良することができる洗濯洗剤組成物を投与することを含む、布帛のコンディショニング方法に関する。
【００７６】
商業洗濯は特定の生産必要高を満たす大きさの市販の洗濯機を利用する。これらは２０ポンドから数１００ポンドの範囲の乾燥重量マシンが使用される。これらのマシンの大部分がフロント・ローディングである。それらはサイクルの間に水を抽出するために高速で回転するので、洗濯脱水機（ｗａｓｈｅｒ  ｅｘｔｒａｃｔｏｒ）と呼ばれる。
【００７７】
洗濯脱水機の例は、ＵｎｉｍａｃからのＵｎｉｍａｃ  ｍｏｄｅｌ  ＵＷ６０ＴＶ、およびＷａｓｃｏｍａｔからのＷａｓｃｏｍａｔ  Ｓｕｐｅｒ  １４０Ｇ  ｆｏｒｃｅ  があげられるが、これに制限されるものではない。
【００７８】
多くの洗濯機では、複数の予備洗い、洗濯、漂白およびすすぎサイクルの形式をプログラムできる。他のマシンには、固定洗濯コースがある。
【００７９】
以下に洗濯プログラムが例示されるが、これは制限的なものではない。
冷水予洗  ２−４分
排水
５−１５分間洗濯サイクル、温水
排水
漂白剤サイクル、温水／冷水混合、５−１０分間
排水、回転脱水
すすぎ１、冷水、３分間
排水
すすぎ２、冷水、３分間
排水
すすぎ１、温水、３分間
排水、脱水
【００８０】
洗剤と他の洗濯化学物質は、洗濯機に操作可能に接続された一体化された化学物質ディスペンサによって加えられる。
【００８１】
本発明の態様は、布帛を投入した洗濯機に３０％以上のリナロールを含むエッセンシャルオイルの有効な量を含む香りのない洗濯洗剤組成物を加えることによって、洗浄される布帛への石鹸残留物を減少させる方法をさらに含んでいる。次いで洗濯機は、布帛を洗浄するために動かされる。そこでは、前記洗浄された布帛は、リナロールを含まない洗剤または３０％未満のリナロールを含むエッセンシャルオイルを含む洗剤で洗濯された布帛と比べると、コンディショニングされて、より少ない洗剤残留物を有している。
【００８２】
この発明を、下記の実施例により更に説明するが、これらを制限と解すべきではない。この出願中のすべての引用された参考文献、特許及び公開された特許出願の内容を、本明細書中に参考として援用する。以下の例は、本発明に関連する製造方法と使用方法に関して完全な開示と説明を当業者に提供するために示され、発明者が発明と見なすものの範囲を限定する意図ではない。数値（例えば、量、温度など）については、正確性を確実にするための努力がなされているが、いくつかの誤差および偏差が考慮に入れられるべきである。特記の無い限り、部は重量に基づき、分子量は重量平均分子量であり、温度は摂氏であり、圧力は大気圧または大気圧の近傍である。
【００８３】
実施例１
粉末石鹸の調製法
炭酸ナトリウムはリボンミキサーなどの適当なミキサーに加えられる。そして、ミキサーは始動される。液体Ｔｏｍａｄｏｌ（登録商標）はゆっくり炭酸塩に加えられ、ミキサーで混合される。次に、３０％以上のリナロールを含んでいるエッセンシャルオイルの０．１％から０．３％がミキサーに加えられる。残りの成分を順不同に加えて、次に均一になるまで混合する。製品は防湿層を有する適当な容器中にパッケージされる。
【００８４】
実施例２
液体洗剤のための調製法
液体洗剤は、適当な混合作用を発生する適当な撹拌器を有するステンレスミックスタンクの中で混合される。水が最初にミックスタンクに加えられ、撹はんが開始される。次に、３０％以上のリナロールを含んでいるエッセンシャルオイルの０．１％から０．３％がミキサーに加えられる。残りの成分を順不同に加えて、次に透明溶液が形成されるまで混合される。製品は適当なプラスチックコンテナ中にパッケージされる。
【００８５】
実施例３
保色性と布帛の柔軟性が改良されるリナロール洗濯洗剤組成物
品質および静電気の減少
テストデータはリナロール配合物の洗濯洗剤への添加に関連する、新しくて予期外の特性の組み合わせを示す。これらの結果は改良された布帛の柔軟性、保色性、および減少した静電気を、３０％以上のリナロールを含むエッセンシャルオイルが添加された洗濯洗剤について示す。
【００８６】
布帛の柔軟性と保色性（変色の無いこと）は洗濯洗剤のための重要な属性である。洗剤はクリーニング性能に加え、布帛の柔軟性および保色性をはじめとする全体的効果を提供しなければならない。
【００８７】
以下の洗剤は柔軟性と保色性の効果を示した。
【００８８】
リナロールを有する製品Ａ
７５．４％  脱イオン水
１０．０％  Ｇｌｕｃｏｐａｎ  ６２５ＵＰ（登録商標）
１０．０％  Ｔｏｍａｄｏｌ  ９００（登録商標）
３．４０％  ＢａｙＰｕｒｅ  ＣＸ１００  ｌｉｑｕｉｄ（登録商標）
１．００％  Ａｌｃｏｓｐｅｒｓｅ  ７４７（登録商標）
０．２０パーセント  ラベンダーオイル（３０％またはより多くのパーセントのリナロール）
（Ｏｒｃｈｉｄｉａコード＃５０−６１５５−０１から購入）
【００８９】
ラベンダーオイルを含まない製品Ｂ
７５．６０％  脱イオン水
１０．０％  Ｇｌｕｃｏｐａｎ  ６２５ＵＰ（登録商標）
１０．０％  Ｔｏｍａｄｏｌ  ９００（登録商標）
３．４０％  ＢａｙＰｕｒｅ  ＣＸ１００  ｌｉｑｕｉｄ（登録商標）
１．００％  Ａｌｃｏｓｐｅｒｓｅ  ７４７（登録商標）
【００９０】
これらの製品は機械的なスターラを使用して、ガラスのビーカー中で１０００グラムのバッチに混合された。すべての原料は、電子天秤を使用して測定された。そして、総バッチサイズは、合計１０００グラムの３グラム以内であることが確認された。
【００９１】
Ｔｏｍａｄｏｌ  ９００（登録商標）はＡｉｒ  Ｐｒｏｄｕｃｔｓ、米国の製品である。
Ｇｌｕｃｏｐａｎ  ６２５（登録商標）  ＵｐはＣｏｇｎｉｓ化学の製品である。
ＢａｙＰｕｒｅ  ＣＸ  １００（登録商標）はバイエル化学の製品である。
Ａｌｃｏｓｐｅｒｓｅ  ７４７（登録商標）はアルコ化学の製品である。
【００９２】
製品Ａ中のリナロールの存在を除いて、これらの製品はあらゆる点で同じであった。
【００９３】
これらの２種の製品がＡＳＴＭ  Ｄ−５２３７−０５を使用して、１洗濯サイクルあたり０．５０液体オンスの洗剤投与量を有する５サイクルの洗浄テストでテストされた。他の化学薬品は全く洗濯テストで使用されなかった。
【００９４】
柔軟性と保色性のための結果は以下の通りであった：
【００９５】
【表１】
0005745729.tif 000003
【００９６】
これらの結果は０−５スケールで測定された。最も良い結果は５である。洗濯洗剤のラベンダーオイルの有効濃度は．０３グラムであった。リナロールの有効濃度は１洗濯サイクルあたり０．０１２グラムであった。
【００９７】
上記のデータから示されるように、３０％以上のリナロールを含んだ洗剤で洗浄された、洗濯物は、より大きい軟化および色の保持特性を示した。
【００９８】
さらに、リナロールを含まない洗剤で洗たくした洗濯物と比べると、リナロールを含む洗剤で洗濯した洗濯物は静電気の発生を４２％減少させた。
【００９９】
実施例４
リナロールを含む洗濯洗剤組成物による布帛の柔軟性および保色性の改良
品質および静電気の減少
テストデータはリナロール配合物が洗剤に優れた柔軟性を提供することを示す。これは洗濯洗剤においてリナロールを芳香剤として使用した際には見られない。これらのテストにおいてはラベンダーオイルとしてリナロールが提供される。（Ｏｒｃｈｉｄｉａ  Ｃｏｄｅ＃５０−６１５５−０１から購入されたラベンダーオイル）
【０１００】
バスカ社製無芳香洗剤（Ｖａｓｋａ  Ｕｎｓｃｅｎｔｅｄ  ｄｅｔｅｒｇｅｎｔ）と競合する４種の洗剤が、ＡＳＴＭＤ５２３７−９２により、５サイクルの洗濯によりテストされた。バスカ社製無芳香洗剤は３０％以上のリナロールを含むラベンダーオイルを含んでいる。評価された性能属性は、布帛の柔軟性であった。
【０１０１】
すべての場合において、洗剤は１洗濯サイクルあたり０．７５液量オンスの使用量で使用された。
【０１０２】
布帛の柔軟性の評価は、ＡＳＴＭ  Ｄ５２３７−９２により５点を利用して、評価された。５は非常に柔らかく、４は柔らかく、３はわずかに柔らかく、２はわずかに堅く、１は堅いとして評価された。
【０１０３】
競合品「Ａ」、「Ｂ」、および「Ｃ」はラベンダーオイル芳香剤を含み、競合品「Ｄ」は芳香剤を全く含まず、対照として機能した。
【０１０４】
以下の結果は、ＡＳＴＭ  Ｄ５２３７−９２テストを行う資格を備えた、独立しているテスト実験室を使用することにより行った。
【０１０５】
製品柔軟特性付け
ラベンダーオイル（３０％以上のリナロールを有する）を有する洗濯洗剤：４．２
競合品Ａ（ラベンダーの芳香剤）３．８
競合品Ｂ（ラベンダーの芳香剤）３．８
競合品Ｃ（ラベンダーの芳香剤）３．５
競合品Ｄ（芳香剤がなく、リナロールもない）４．０
【０１０６】
布帛柔軟剤を評価するための布帛柔軟剤５サイクルテスト−シャスターテスト方法ＰＳ１８７ＢおよびＡＳＴＭ  Ｄ５２３７−９２標準指針
パフォーマンスの特性：５
サイクルバンドルテスト、水温３７．８℃（１００度Ｆ）、水硬度１５０ｐｐｍ、７ｌｂの洗濯物  （タオル／ハーフシャツ）  がテスト用試料で洗浄されて乾燥された
【０１０７】
上記のデータから示されるように、芳香剤としてリナロールを含んでいた洗剤と比べると、芳香剤として配合されなかった３０％以上のリナロールを含む洗剤で洗濯された洗濯物は、より優れた軟化特性を示した。
本願発明はその実施態様として以下を含む。
第１項：  ３０％以上のリナロールを含むエッセンシャルオイルの有効な量を含む香りのない洗濯洗剤組成物であって、該エッセンシャルオイルは洗濯物に芳香を付与するように機能せず、洗浄プログラムの間、布帛をコンディショニングするのに、有効な量でリナロールが存在する洗濯洗剤組成物。
第２項：  エッセンシャルオイルの有効な量が０．１から０．３重量％の範囲である、第１項記載の洗濯洗剤組成物。
第３項：  エッセンシャルオイルの有効な量が０．２重量％である、第２項記載の洗濯洗剤組成物。
第４項：  エッセンシャルオイルがラベンダーオイルである、第１項記載の洗濯洗剤組成物。
第５項：  ラベンダーオイルが０．０１から０．０５ｇの範囲の有効濃度を有する、第４項記載の洗濯洗剤組成物。
第６項：  ラベンダーオイルが０．０３ｇの有効濃度を有する、第５項記載の洗濯洗剤組成物。
第７項：  リナロールのない洗剤または３０％未満のリナロールを含むエッセンシャルオイルを含む洗剤で洗濯した布帛と比較して、洗濯された布帛が柔らかい、第１項記載の洗濯洗剤組成物。
第８項：  リナロールのない洗剤または３０％未満のリナロールを含むエッセンシャルオイルを含む洗剤と比較して、洗濯された布帛の石鹸残留物を減少させる、第１項記載の洗濯洗剤組成物。
第９項：  リナロールのない洗剤または３０％未満のリナロールを含むエッセンシャルオイルを含む洗剤と比較して、洗濯された布帛の保色性を改良する、第１項記載の洗濯洗剤組成物。
第１０項：  リナロールのない洗剤または３０％未満のリナロールを含むエッセンシャルオイルを含む洗剤と比較して、洗濯された布帛における静電気が減少される、第１項記載の洗濯洗剤組成物。
第１１項：  洗剤が粉末洗剤である、第１項記載の洗濯洗剤組成物。
第１２項：  洗剤が液体洗剤である、第１項記載の洗濯洗剤組成物。
第１３項：  エッセンシャルオイルは、洗浄および乾燥の間の蒸発速度のコントロールのために、担体材料上に堆積されず、カプセル化されず、化合物中に組み込まれない、第１項記載の洗濯洗剤組成物。
第１４項：  以下を含む洗濯された布帛上の石鹸残留物の減少方法：
ａ）３０％以上のリナロールを含むエッセンシャルオイルの有効な量を含む香りのない洗濯洗剤組成物を布帛に加えること、および
ｂ）  該布帛を洗浄することを含み、洗濯された該布帛が、リナロールを含まない洗剤または３０％未満のリナロールを含むエッセンシャルオイルを含んでいる洗剤で洗濯された布帛と比較して、よりコンディショニングされ、より少ない洗剤残留物を有する、
第１５項：  エッセンシャルオイルの有効な量が０．１から０．３重量％の範囲である、第１４項記載の方法。
第１６項：  エッセンシャルオイルの有効な量が０．２重量％である、第１５項記載の方法。
第１７項：  エッセンシャルオイルがラベンダーオイルである、第１４項記載の方法。
第１８項：ラベンダーオイルが０．０１から０．０５ｇまで及ぶ有効濃度を有する、第１７項記載の方法。
第１９項：  ラベンダーオイルが０．０３ｇの有効濃度を有する、第１８項記載の方法。
第２０項：  リナロールのない洗剤または３０％未満のリナロールを含むエッセンシャルオイルを含む洗剤で洗濯した布帛と比較して、洗濯された布帛が柔らかい、第１４項記載の方法。
第２１項：リナロールのない洗剤または３０％未満のリナロールを含むエッセンシャルオイルを含む洗剤と比較して、洗濯された布帛の保色性を改良する、第１４項記載の方法。
第２２項：  リナロールのない洗剤または３０％未満のリナロールを含むエッセンシャルオイルを含む洗剤と比較して、洗濯された布帛における静電気が減少される、第１４項記載の方法。
第２３項：  リナロールの有効量が０．００４％から０．０１２％までの範囲であり、該リナロールが洗浄プログラムの間、布帛をコンディショニングするのに有効である、香りのない洗濯洗剤組成物。
第２４項：  リナロールが合成のリナロールである、第２３項記載の洗濯洗剤組成物。